(57)【要約】【課題】  入札対象物を運搬するベルトコンベアを停止させることなく、入札対象物の実物をみながら入札価格を入力できるようにした電子競りシステムを得る。【解決手段】  固定表示板１の展示中、入札中及び落札済のエリアに、ベルトコンベア３で停止することなく運搬される入札対象物が移動して来た時、固定表示板１に対向して配置された電子表示板２によりそれぞれのエリアに応じた情報の表示を行い、この電子表示板２の表示は入札対象物の移動と同期して表示場所が移動するように入札制御パソコン６により制御され、入札対象物が固定表示板１の入札中のエリアにあるとき、入札端末５から入札者が入札価格を入力し、この入力された入札価格を受信部７により受信して入札制御パソコン６に取り込み、この入札価格を電子表示板２の表示に反映させるようにした。【選択図】図２
2005227959.tif 000002
【特許請求の範囲】
【請求項１】
入札対象物を展示から落札まで連続して運搬するベルトコンベアに対向して配置され、上記入札対象物の移動位置に応じて展示中、入札中及び落札済のエリアが表示された表示板、この表示板に対向して配置され、上記表示板の各エリアに対向した位置を上記入札対象物が移動しているとき、上記エリアに応じた情報を上記入札対象物と共に表示場所を移動させながら表示する表示手段、入札者が入札価格を入力する入力手段、及び上記表示手段による表示を制御する制御手段を備え、上記制御手段は、上記入札対象物が上記入札中のエリアに対向した位置を移動しているとき、上記入力手段により入力された入札価格を受信し、この受信した入札価格を上記表示手段に表示させることを特徴とする電子競りシステム。
【請求項２】
上記制御手段は、上記入札対象物が上記固定表示板の上記入札中のエリアに対向した位置に近づいたとき、上記表示手段による表示を点滅するように制御することを特徴とする請求項１記載の電子競りシステム。
【請求項３】
上記制御手段は、上記入札対象物が上記固定表示板の上記落札済のエリアに対向した位置に近づいたとき、上記表示手段による表示を点滅するように制御することを特徴とする請求項１または請求項２記載の電子競りシステム。
【請求項４】
上記制御手段は、上記入札対象物が上記固定表示板の上記落札済のエリアに対向した位置を移動しているとき、表示色が変更された落札価格及び落札者を表示するように上記表示手段を制御することを特徴とする請求項１〜請求項３のいずれかに記載の電子競りシステム。
【発明の詳細な説明】
【技術分野】
【０００１】
この発明は、入札対象物の入札を電子的に行う電子競りシステムに関するものである。
【背景技術】
【０００２】
従来の競りシステムは、競り対象物をカメラで撮影し、インターネットを介してサーバに送られ、サーバに参加した競り参加端末のテレビジョン（表示装置その一）にその競り対象物が表示される。また、競り対象物の重量や寸法等の測定値は、インターネットを介して、競り参加端末のコンピュータのディスプレイ（表示装置その二）に表示される。競り参加者（入札者）は、それらの表示をみて、希望価格を入力する。サーバは締め切り時間になれば、最高価格を抽出して落札価格とするとともに、その競り参加者（入札者）を競り参加端末から特定し、落札者とする。（例えば、特許文献１参照）
【０００３】
また、電子競りと呼ばれるシステムが出現する以前の競りシステムとして、ベルトコンベアなどで運ばれてきた入札対象物を競り毎に決まった位置に停止させ、この決まった位置に停止させた入札対象物についての入札を行っていた。ここで表示される出品情報と入札情報は、中央に停止した１件の入札情報であって、競りの進行によって、一部の表示が刻々変化していくものである。
【０００４】
【特許文献１】特開２００２−３０４５４７号公報（第３〜５頁、図１）
【発明の開示】
【発明が解決しようとする課題】
【０００５】
従来の特許文献１に示される競りシステムは、表示装置にて競り対象物をみるので、立体的な把握が困難であり、実物との差による入札失敗が生じる場合があった。
また、従来のベルトコンベアを用いた競りシステムでは、ベルトコンベアを入札毎に停止させ、１件ずつ展示、入札、落札表示を繰り返していたため、競り終了までに相当な時間を要していた。
【０００６】
この発明は、上記のような課題を解決するためになされたものであり、入札対象物を運搬するベルトコンベアを停止させることなく、入札対象物の実物をみながら入札価格を入力できるようにした電子競りシステムを得ることを目的にしている。
【課題を解決するための手段】
【０００７】
この発明に係わる電子競りシステムにおいては、入札対象物を展示から落札まで連続して運搬するベルトコンベアに対向して配置され、入札対象物の移動位置に応じて展示中、入札中及び落札済のエリアが表示された表示板、この表示板に対向して配置され、表示板の各エリアに対向した位置を入札対象物が移動しているとき、エリアに応じた情報を入札対象物と共に表示場所を移動させながら表示する表示手段、入札者が入札価格を入力する入力手段、及び表示手段による表示を制御する制御手段を備え、制御手段は、入札対象物が入札中のエリアに対向した位置を移動しているとき、入力手段により入力された入札価格を受信し、この受信した入札価格を表示手段に表示させるものである。
【発明の効果】
【０００８】
この発明は、以上説明したように、入札対象物を展示から落札まで連続して運搬するベルトコンベアに対向して配置され、入札対象物の移動位置に応じて展示中、入札中及び落札済のエリアが表示された表示板、この表示板に対向して配置され、表示板の各エリアに対向した位置を入札対象物が移動しているとき、エリアに応じた情報を入札対象物と共に表示場所を移動させながら表示する表示手段、入札者が入札価格を入力する入力手段、及び表示手段による表示を制御する制御手段を備え、制御手段は、入札対象物が入札中のエリアに対向した位置を移動しているとき、入力手段により入力された入札価格を受信し、この受信した入札価格を表示手段に表示させるので、入札対象物を運搬するベルトコンベアを停止させることなく、入札対象物の実物をみながら入札価格を入力することができる。
【発明を実施するための最良の形態】
【０００９】
実施の形態１．
以下、この発明の実施の形態１を図１に基づいて説明する。
図１は、この発明の実施の形態１による電子競りシステムの運用例を示す図である。
図１において、入札対象物４は、ベルトコンベア３により移動させられる。固定表示板１（表示板）には、現在の入札状況の区分を示す展示中、入札中及び落札済の各エリアが設けられている。展示中は、入札前の入札対象物を展示する期間を示し、入札中は、実際に入札が行われている期間を示し、落札済は、入札が終り、落札価格と落札者が決まった期間を示している。長尺の電子表示板２（表示手段）は、各入札対象物４の入札情報などの個別情報を表示する。入札端末５（入力手段）は、入札者が入札価格を入力するのに用いられる。入札対象物４は、フック８によりベルトコンベア３に固定される。矢印９は、入札対象物４の入札の状態を示すもので、ベルトコンベア３に固定され、ベルトコンベア３を入札制御パソコンより精密に制御することにより、矢印９が固定表示板１の入札状況を指し示すようにしている。
【００１０】
図２は、この発明の実施の形態１による電子競りシステムを示すブロック図である。
図２において、ベルトコンベア３には、エンコーダ２０が取り付けられており、その出力パルスは、入札制御パソコン６（制御手段）に入力される。入札制御パソコン６は、このパルスをカウントすることにより、ベルトコンベア３の移動距離を計算する。入札対象物４が、移動の開始位置から移動開始すると、開始位置検出器により開始位置を定め、上記のように計算された移動距離とにより、電子表示板２の表示位置の決定を行うとともに、矢印９が固定表示板１のどの位置を通過しているかを判断する。エンコーダ２０による移動距離の計算方法は、例えば特開平１０−２４９７６６号公報にその例が記載されている。入札端末５に入力された入札情報は、無線信号（光・電波など）に変換されて送信され、受信（光）部７で受信され、入力制御パソコン６に入力される。
なお、長尺の電子表示板２は、ベルトコンベア３の動きに合わせて入札情報の表示位置を上記のように計算された表示位置に移動させ、常に入札対象物４の上部に情報が表示されるように、入力制御パソコン６により制御される。
【００１１】
図３は、この発明の実施の形態１による電子競りシステムの展示中の表示例を示す図である。
図４は、この発明の実施の形態１による電子競りシステムの入札中の表示例を示す図である。
図５は、この発明の実施の形態１による電子競りシステムの落札済の表示例を示す図である。
【００１２】
図６は、この発明の実施の形態１による電子競りシステムの電子表示板の表示フォーマット例を示す図である。
図６において、上段は常に入札対象物４の情報（図６では、出品Ｎｏ．、性別・体重、出生地）を表示している。下段は、入札対象物４の入札状態により表示が変化するもので、展示中では、「間もなく入札開始」などの自由文章、入札中では、現在の最高入札価格・入札者氏名（登録番号）、落札済では、落札価格・落札者氏名（登録番号）が表示される。
図７は、この発明の実施の形態１による電子競りシステムの動作を示すフロー図である。
【００１３】
次に、図２に基づき、主なデータの流れについて説明する。
競りが開始されると、入力制御パソコン６からの制御信号Ｄ１でベルトコンベア３が動き出し、それに同期して、入力制御パソコン６から文字表示情報Ｄ２が電子表示板２に送信されて表示される。入札端末５に入力された入札情報Ｄ３は、入札端末５の内部で、伝送するための無線信号Ｄ４（光・電波など）に変換されて送信される。この無線信号Ｄ４は、受信（光）部７で受信され、入札制御パソコン６へ送信される。入札制御パソコン６は、この情報を受信した順番に入札処理を行い、随時、電子表示板２で表示されている各入札対象物４の入札経過へ反映させるため、文字表示情報Ｄ２を更新し、送信する。
【００１４】
次に、電子競りの動作について、図７のフロー図に従って説明する。
全ての入札対象物４は、入札の状態が展示中、入札中、落札済と３つの状態のいずれかにある。この状態は、入札対象物４の矢印９の位置によって決定される。
図３で示すように、入札対象物４は、まず展示から始まる（ステップ１０１）。この展示中は、入札対象物４をしっかりと査定する期間である。入札対象物４は、固定表示板１を指している矢印９により展示中の状態が示される。また、ベルトコンベア３によって徐々に左方向に移動する。移動の際、入札制御パソコン６によって、電子表示板２に表示されている情報は、入札対象物４の移動に連動して左方向に移動する。
【００１５】
ベルトコンベア３により入札対象物４が運ばれ、それに対応する矢印９が入札中の範囲に達すると（ステップ１０２）、図４で示すような入札の制御が行われる。このとき、入札制御パソコン６は、入札端末５からの入力を受け付ける。この入札端末５から送信されるデータは、出品番号、入札者登録番号、入札価格である。表示中の価格より高い入札価格が入力される（ステップ１０５）と、その入札端末５から判断される入札者と入力された入札価格とを、最高入札者と最高入札価格として電子表示板２の表示を更新する（ステップ１０６）。
【００１６】
固定表示板１を指している矢印９が、落札済のエリアに入った直後（ステップ１０７）に入札は終了し、図５で示すように入札中の最高入札価格が引き続き表示され、落札価格となり、最高入札者も引き続き表示され、落札者となり、視覚的に判りやすいように文字色を変更して表示される（ステップ１１０）。
固定表示板１を指している矢印９が、落札済のエリアを出た時点で（ステップ１１１）、電子表示板の表示は、終了する。
【００１７】
以上のように、実施の形態１によれば、入札対象物をベルトコンベアを停止させることなく運搬して、入札者が実物をみて入札できるので、入札対象物の誤った認識による入札間違いを減らすことができると共に、入札前の展示中エリア、入札時の入札中エリア、入札完了後の落札済エリアを設け、長尺の電子表示板にて対応する競り情報を表示したので、スムースな入札をすることができる。
【００１８】
実施の形態２．
図８は、この発明の実施の形態２による電子競りシステムの動作を示すフロー図である。
実施の形態１では、矢印の位置で入札開始位置を知る必要があり、常に矢印を注目していなければならないという不便があった。
実施の形態２は、この不便を緩和するためになされたもので、図８に示すように、矢印９が入札中に接近すると（ステップ１０３）、入札制御パソコン６は、「間もなく入札開始」のメッセージを点滅させて（ステップ１０４）、入札がまさに始まろうとすることを入札者に良くわかるようにする。また、矢印９が入札中領域に入る（ステップ１０２）と、メッセージの点滅を停止する（ステップ１１２）。
【００１９】
実施の形態２によれば、入札対象物が入札中のエリアに近づいたときに、「間もなく入札開始」のメッセージを点滅させることにより、入札者は、スムーズに次の入札に着手できるという効果がある。
【００２０】
実施の形態３．
図９は、この発明の実施の形態３による電子競りシステムの動作を示すフロー図である。
実施の形態１では、矢印９の位置で入札完了を知る必要があり、入札中は常に矢印位置を気にしていなければならないという不便があった。
実施の形態３は、この不便を緩和するためになされたもので、図９に示すように、矢印９が固定表示板１の落札済みに接近すると（ステップ１０８）、入札制御パソコン６は、入札情報を点滅表示させて（ステップ１０９）、入札が終了間際であることを、入札者に良くわかるようにする。その後、矢印９が、落札済領域に入る（ステップ１０７）と、入札情報の点滅表示を停止する（ステップ１１３）。
【００２１】
実施の形態３によれば、入札対象物が落札済のエリアに近づいたときに、入札の終了間際を示す入札情報の点滅により、点滅中、最後の賭けに出ることができるという効果がある。
【図面の簡単な説明】
【００２２】
【図１】この発明の実施の形態１による電子競りシステムの運用例を示す図である。
【図２】この発明の実施の形態１による電子競りシステムを示すブロック図である。
【図３】この発明の実施の形態１による電子競りシステムの展示中の表示例を示す図である。
【図４】この発明の実施の形態１による電子競りシステムの入札中の表示例を示す図である。
【図５】この発明の実施の形態１による電子競りシステムの落札済の表示例を示す図である。
【図６】この発明の実施の形態１による電子競りシステムの電子表示板の表示フォーマット例を示す図である。
【図７】この発明の実施の形態１による電子競りシステムの動作を示すフロー図である。
【図８】この発明の実施の形態２による電子競りシステムの動作を示すフロー図である。
【図９】この発明の実施の形態３による電子競りシステムの動作を示すフロー図である。
【符号の説明】
【００２３】
１  固定表示板
２  電子表示板
３  ベルトコンベア
４  入札対象物
５  入札端末
６  入札制御パソコン
７  受信（光）部
８  フック
９  入札状態表示矢印
Ｄ１  ベルトコンベア制御信号
Ｄ２  文字表示情報
Ｄ３  入札情報
Ｄ４  無線信号
【図１】
2005227959.tif 000003
【図２】
2005227959.tif 000004
【図３】
2005227959.tif 000005
【図４】
2005227959.tif 000006
【図５】
2005227959.tif 000007
【図６】
2005227959.tif 000008
【図７】
2005227959.tif 000009
【図８】
2005227959.tif 000010
【図９】
2005227959.tif 000011